(57)【要約】【課題】  オーダーインソールにおける角度付けにより適正な重心位置を確保することに着目し、オーダーインソールを作成するための専門的な技術を必要とせず、オーダーインソールを誰でも簡単に作成することができる靴中敷きを提供する。【解決手段】  靴の内底部に装入されて使用される靴中敷において、靴の内底部に接する側の基材１０の下面に凹部１１を設け、角度付けにより適正な重心位置を確保するための角度調整部材を凹部１１の形状に相応する形状に形成し、凹部１１に使用者の足形と重心位置の調整に最適な前記角度調整部材を貼着させる。【選択図】図１
0003116104.tif 000002
【実用新案登録請求の範囲】
【請求項１】
靴の内底部に装入されて使用される靴中敷において、前記靴の内底部に接する側の基材の下面に凹部を設け、角度付けにより適正な重心位置を確保するための角度調整部材を前記凹部の形状に相応する形状に形成し、前記凹部に使用者の足形と重心位置の調整に最適な前記角度調整部材を貼着させてなる靴中敷き。
【請求項２】
請求項１に記載の靴中敷において、前記靴の内底部に接する側の基材の下面の土踏まず部及び踵部をカバーするヒール部領域に第一凹部を設け、角度付けにより適正な重心位置を確保するための角度調整部材を前記第一凹部の形状に相応する形状に形成し、前記角度調整部材は、（ａ）傾斜面を形成しないノーマルウエッジ、（ｂ）ヒール側を高くする傾斜面を形成したヒールウエッジ、（ｃ）内側を高くする傾斜面を形成したインサイドウエッジ、（ｄ）外側を高くする傾斜面を形成したアウトサイドウエッジの各パーツからいずれか一つのパーツを選択するとともに、使用目的に対応した数種類の硬度を有する素材を適宜選択し、前記第一凹部に使用者の足形と重心位置の調整に最適な前記角度調整部材を両面テープ又は接着剤により貼着させてなる靴中敷き。
【請求項３】
請求項１又は請求項２に記載の靴中敷において、前記靴の内底部に接する側の基材の下面の母指球部及び小指球部をカバーする爪先部領域に第二凹部を設け、角度付けにより適正な重心位置を確保するための角度調整部材を前記第二凹部の形状に相応する形状に形成し、前記角度調整部材は、（ｅ）傾斜面を形成しないノーマルウエッジ、（ｆ）内側を高くする傾斜面を形成したインサイドウエッジ、（ｇ）外側を高くする傾斜面を形成したアウトサイドウエッジ、（ｈ）爪先側を高くする傾斜面を形成したフィンガーウエッジの各パーツからいずれか一つのパーツを選択するとともに、使用目的に対応した数種類の硬度を有する素材を適宜選択し、前記第二凹部に使用者の足形と重心位置の調整に最適な前記角度調整部材を両面テープ又は接着剤により貼着させてなる靴中敷き。
【考案の詳細な説明】
【技術分野】
【０００１】
本考案は、オーダーインソールを誰でも簡単に作成することができる靴中敷きに関するものである。
【背景技術】
【０００２】
従来のオーダーインソールは、個々の使用者の足形をかたどったデータを基にして個人のバランスに適合したものを個別に作成していたため、特定の技術を持った専門家に作成を依頼することが必要であり、又オーダーインソールの作成に相当の時間と費用がかかるという問題があった。
【０００３】
ここで、オーダーインソールの定義を満たす要件としては、適正なアーチと適正な重心位置の２つがあると考えられる。即ち、適正なアーチとは、個々の使用者の足形にフィットさせて適正なアーチを確保することであり、適正な重心位置とは、角度付けにより適正な重心位置を確保することである。
【０００４】
上記のオーダーインソールに必要とされる要件の中でも、バランスを重視して重心位置を最適な位置に持ってくることがオーダーインソールの大きな役割であると考えられ、これに適正なアーチの要件を付加させることにより、適正な重心位置の確保によるバランス効果が一層期待できるといえる。
【０００５】
角度付けにより適正な重心位置を確保するための従来の角度調整部材としては、図２２及び図２３に示すように、ヒール側を高くする傾斜面を形成したヒールウエッジ１００、内側又は外側を高くする傾斜面を形成したサイドウエッジ１１０の各パーツが考えられる。しかし、これらの各パーツは、インソールとは別個に存在するものであり、インソールの下面に取り付ける際には、個々に各パーツの取り付け位置を決める必要があるばかりでなく、インソールの下面に接着剤によってしっかりと固定しなければならないため、取り付け作業にかなり手間がかかる。また、従来の角度調整部材では、土踏まず部分まで延長したパーツ形状を採用していないため、重要な土踏まずのサポートが十分に機能しないという問題をも有している。
【考案の開示】
【考案が解決しようとする課題】
【０００６】
そこで、本考案は、オーダーインソールにおける角度付けにより適正な重心位置を確保することに着目し、オーダーインソールを作成するための専門的な技術を必要とせず、オーダーインソールを誰でも簡単に作成することができる靴中敷きを提供することを目的とする。
【課題を解決するための手段】
【０００７】
上記課題を解決するために、請求項１に記載の考案は、靴の内底部に装入されて使用される靴中敷において、前記靴の内底部に接する側の基材の下面に凹部を設け、角度付けにより適正な重心位置を確保するための角度調整部材を前記凹部の形状に相応する形状に形成し、前記凹部に使用者の足形と重心位置の調整に最適な前記角度調整部材を貼着させてなる構成を採用したのである。
【０００８】
また、請求項２に記載の考案は、請求項１に記載の靴中敷において、前記靴の内底部に接する側の基材の下面の土踏まず部及び踵部をカバーするヒール部領域に第一凹部を設け、角度付けにより適正な重心位置を確保するための角度調整部材を前記第一凹部の形状に相応する形状に形成し、前記角度調整部材は、（ａ）傾斜面を形成しないノーマルウエッジ、（ｂ）ヒール側を高くする傾斜面を形成したヒールウエッジ、（ｃ）内側を高くする傾斜面を形成したインサイドウエッジ、（ｄ）外側を高くする傾斜面を形成したアウトサイドウエッジの各パーツからいずれか一つのパーツを選択するとともに、使用目的に対応した数種類の硬度を有する素材を適宜選択し、前記第一凹部に使用者の足形と重心位置の調整に最適な前記角度調整部材を両面テープ又は接着剤により貼着させた構成を採用したのである。
【０００９】
また、請求項３に記載の考案は、請求項１又は請求項２に記載の靴中敷において、前記靴の内底部に接する側の基材の下面の母指球部及び小指球部をカバーする爪先部領域に第二凹部を設け、角度付けにより適正な重心位置を確保するための角度調整部材を前記第二凹部の形状に相応する形状に形成し、前記角度調整部材は、（ｅ）傾斜面を形成しないノーマルウエッジ、（ｆ）内側を高くする傾斜面を形成したインサイドウエッジ、（ｇ）外側を高くする傾斜面を形成したアウトサイドウエッジ、（ｈ）爪先側を高くする傾斜面を形成したフィンガーウエッジの各パーツからいずれか一つのパーツを選択するとともに、使用目的に対応した数種類の硬度を有する素材を適宜選択し、前記第二凹部に使用者の足形と重心位置の調整に最適な前記角度調整部材を両面テープ又は接着剤により貼着させた構成を採用したのである。
【考案の効果】
【００１０】
以上のように、請求項１に記載の考案によれば、靴の内底部に接する側の基材の下面に凹部を設け、使用者の足形と重心位置の調整に最適な角度調整部材を貼着させたので、オーダーインソールを誰でも簡単に作成でき、時間と費用を大幅に削減することが可能になる。
【００１１】
また、請求項２に記載の考案によれば、土踏まず部及び踵部をカバーするヒール部領域に第一凹部を設け、角度調整部材は土踏まず部分まで延長したパーツ形状を採用し両面テープ又は接着剤により貼着させたので、オーダーインソールを誰でも簡単に作成できるとともに、重要な土踏まず部分のサポートを十分に行うことができ、適正な重心位置の確保によるバランス効果を高めることができる。
【００１２】
また、請求項３に記載の考案によれば、母指球部及び小指球部をカバーする爪先部領域に第二凹部を設け、角度調整部材を両面テープ又は接着剤により貼着させたので、オーダーインソールを誰でも簡単に作成できるとともに、使用者の足裏全体にフィットするオーダーインソールを作成できる。
【考案を実施するための最良の形態】
【００１３】
以下、本考案の実施形態について、図面を参酌しながら説明する。
【００１４】
図１は、本考案にかかる靴中敷きの基材下面の一例を示す斜視図である。図２、図５、図７、図１０は、靴中敷きの基材下面の凹部に装着する角度調整部材（ノーマルウエッジ、ヒールウエッジ、インサイドウエッジ、アウトサイドウエッジ）の各例を示す斜視図である。
【００１５】
図１に示すように、靴の内底部に接する側の基材１０の下面の土踏まず部及び踵部をカバーするヒール部領域に第一凹部１１が形成されている。
【００１６】
第一凹部１１は、後述する角度調整部材（ノーマルウエッジ、ヒールウエッジ、インサイドウエッジ、アウトサイドウエッジ）２０、３０、４０、５０を装着できる形状に形成されている。このように靴の内底部に接する側の基材１０の下面のヒール部領域に第一凹部１１を形成することにより、両面テープ又は接着剤などを用いて簡単に貼り着けるだけで角度調整部材２０、３０、４０、５０が使用中にずれるおそれがないばかりでなく、オーダーインソールを誰でも簡単に作成でき、時間と費用を大幅に削減することが可能になる。
【００１７】
また、図１に示すように、靴の内底部に接する側の基材１０の下面の土踏まず部１２をカバーする領域まで一体的に連続する第一凹部１１を形成し、第一凹部１１の形状に相応する形状に形成した角度調整部材２０、３０、４０、５０を装着することにより、重要な土踏まず部分のサポートを十分に行うことができ、適正な重心位置の確保によるバランス効果を高めることができる。
【００１８】
次に、上述した第一凹部１１に装着する角度調整部材２０、３０、４０、５０について説明する。角度調整部材２０、３０、４０、５０は、角度付けにより適正な重心位置を確保するためのパーツであり、以下の４種類のパーツから使用者の足形と重心位置の調整に最適なものを選択する。
【００１９】
図２は角度調整部材（ノーマルウエッジ）の一例を示す斜視図、図３はＡ−Ａ断面図、図４はＢ−Ｂ断面図である。
【００２０】
角度調整部材２０は、傾斜面を形成しない形状を呈している。また、土踏まず部２１まで延長したパーツ形状を採用しているため、重要な土踏まず部分のサポートを十分に行うことができ、適正な重心位置の確保によるバランス効果を高めることができる。
【００２１】
図５は角度調整部材（ヒールウエッジ）の一例を示す斜視図、図６はＡ−Ａ断面図である。
【００２２】
角度調整部材３０は、ヒール側を高くする傾斜面を形成した形状を呈している。このようにヒール側を高くすることにより後傾ポジションに対応することができ、腰痛などに対して効果がある。また、土踏まず部３１まで延長したパーツ形状を採用しているため、重要な土踏まず部分のサポートを十分に行うことができ、適正な重心位置の確保によるバランス効果を高めることができる。
【００２３】
図７は角度調整部材（インサイドウエッジ）の一例を示す斜視図、図８はＡ−Ａ断面図、図９はＢ−Ｂ断面図である。
【００２４】
角度調整部材４０は、内側を高くする傾斜面を形成した形状を呈している。このように内側を高くすることにより荷重位置が内側にある人に対応することができ、膝が内側に入る、偏平足、外反母趾、膝痛などに対して効果がある。また、土踏まず部４１まで延長したパーツ形状を採用しているため、重要な土踏まず部分のサポートを十分に行うことができ、適正な重心位置の確保によるバランス効果を高めることができる。
【００２５】
図１０は角度調整部材（アウトサイドウエッジ）の一例を示す斜視図、図１１はＡ−Ａ断面図、図１２はＢ−Ｂ断面図である。
【００２６】
角度調整部材５０は、外側を高くする傾斜面を形成した形状を呈している。このように外側を高くすることにより荷重位置が外側にある人に対応することができ、膝が外側に入る、高弓足、Ｏ脚、膝痛などに対して効果がある。また、土踏まず部５１まで延長したパーツ形状を採用しているため、重要な土踏まず部分のサポートを十分に行うことができ、適正な重心位置の確保によるバランス効果を高めることができる。
【００２７】
また、角度調整部材２０、３０、４０、５０は、数種類の硬度を有する素材を準備しておき、使用目的に対応したものを適宜選択する。なお、素材については限定されるものではない。
【００２８】
図１３は、本考案にかかる靴中敷きの基材下面の他例を示す斜視図である。図１４、図１６、図１８、図２０は、靴中敷きの基材下面の凹部に装着する角度調整部材（ノーマルウエッジ、インサイドウエッジ、アウトサイドウエッジ、フィンガーウエッジ）の各例を示す斜視図である。
【００２９】
図１３に示すように、靴の内底部に接する側の基材１０の下面の母指球部及び小指球部をカバーする爪先部領域に第二凹部１３が形成されている。
【００３０】
第二凹部１３は、後述する角度調整部材（ノーマルウエッジ、インサイドウエッジ、アウトサイドウエッジ、フィンガーウエッジ）６０、７０、８０、９０を装着できる形状に形成されている。このように靴の内底部に接する側の基材１０の下面の爪先部領域に第二凹部１３を形成することにより、両面テープ又は接着剤などを用いて簡単に貼り着けるだけで角度調整部材６０、７０、８０、９０が使用中にずれるおそれがないばかりでなく、オーダーインソールを誰でも簡単に作成でき、時間と費用を大幅に削減することが可能になる。
【００３１】
次に、上述した第二凹部１３に装着する角度調整部材６０、７０、８０、９０について説明する。角度調整部材６０、７０、８０、９０は、角度付けにより適正な重心位置を確保するためのパーツであり、以下の４種類のパーツから使用者の足形と重心位置の調整に最適なものを選択する。
【００３２】
図１４は角度調整部材（ノーマルウエッジ）の他例を示す斜視図、図１５はＡ−Ａ断面図である。角度調整部材６０は、傾斜面を形成しない形状を呈している。
【００３３】
図１６は角度調整部材（インサイドウエッジ）の他例を示す斜視図、図１７はＡ−Ａ断面図である。角度調整部材７０は、内側を高くする傾斜面を形成した形状を呈している。このように内側を高くすることにより荷重位置が内側にある人に対応することができ、膝が内側に入る、偏平足、外反母趾、膝痛などに対して効果がある。
【００３４】
図１８は角度調整部材（アウトサイドウエッジ）の他例を示す斜視図、図１９はＡ−Ａ断面図である。角度調整部材８０は、外側を高くする傾斜面を形成した形状を呈している。このように外側を高くすることにより荷重位置が外側にある人に対応することができ、膝が外側に入る、高弓足、Ｏ脚、膝痛などに対して効果がある。
【００３５】
図２０は角度調整部材（フィンガーウエッジ）の一例を示す斜視図、図２１はＡ−Ａ断面図である。角度調整部材９０は、爪先側を高くする傾斜面を形成した形状を呈している。このように爪先側を高くすることにより、爪先方向に指先で蹴りだすことが容易になり、歩行動作を補助することができる。
【００３６】
また、角度調整部材６０、７０、８０、９０は、数種類の硬度を有する素材を準備しておき、使用目的に対応したものを適宜選択する。なお、素材については限定されるものではない。
【００３７】
（実施例１）ヒールタイプ
土踏まず部及び踵部をカバーするヒール部領域に凹部が形成されているベースインソール（図１参照）、４種類の角度調整部材（図２、図５、図７、図１０参照）から構成され、使用者の足形と重心位置の調整に最適な角度調整部材を選択し、凹部に貼り着けるだけで、オーダーインソールを誰でも簡単に作成できるとともに、重要な土踏まず部分のサポートを十分に行うことができ、適正な重心位置の確保によるバランス効果を高めることができる。
【００３８】
（実施例２）爪先タイプ
母指球部及び小指球部をカバーする爪先部領域に凹部が形成されているベースインソール（図１３参照）、４種類の角度調整部材（図１４、図１６、図１８、図２０参照）から構成され、使用者の足形と重心位置の調整に最適な角度調整部材を選択し、凹部に貼り着けるだけで、オーダーインソールを誰でも簡単に作成できる。
【００３９】
（実施例３）ヒール・爪先併設タイプ
土踏まず部及び踵部をカバーするヒール部領域と母指球部及び小指球部をカバーする爪先部領域の両方に凹部が形成されているベースインソール（図１、図１３参照）、ヒール部領域用の４種類の角度調整部材（図２、図５、図７、図１０参照）と爪先部領域用の４種類の角度調整部材（図１４、図１６、図１８、図２０参照）から構成され、使用者の足形と重心位置の調整に最適な角度調整部材を選択し、各凹部に貼り着けるだけで、オーダーインソールを誰でも簡単に作成できるとともに、使用者の足裏全体にフィットするオーダーインソールを作成できる。
【産業上の利用可能性】
【００４０】
本考案にかかる靴中敷きによれば、オーダーインソールを作成するための専門的な技術を必要とせず、オーダーインソールを誰でも簡単に作成することができることから、靴業界だけでなく様々な業界及び分野で利用できる。例えば、医療業界では、外科医が現場で直ぐに患者に対応することができる。また、Ｏ脚などによる膝痛、腰痛、偏平足、外反母趾、足底痛などの様々な障害に対して効果を奏する。また、スポーツ分野では、ゴルフ、スキーなどのバランスを重視するスポーツに対して即効性があり、安定したゴルフスイングができる、エッジングを調整し苦手な方向のターンを克服することができるなどの効果を奏する。
【図面の簡単な説明】
【００４１】
【図１】本考案にかかる靴中敷きの基材下面の一例を示す斜視図である。
【図２】角度調整部材（ノーマルウエッジ）の一例を示す斜視図である。
【図３】図２に示す角度調整部材（ノーマルウエッジ）のＡ−Ａ断面図である。
【図４】図２に示す角度調整部材（ノーマルウエッジ）のＢ−Ｂ断面図である。
【図５】角度調整部材（ヒールウエッジ）の一例を示す斜視図である。
【図６】図５に示す角度調整部材（ヒールウエッジ）のＡ−Ａ断面図である。
【図７】角度調整部材（インサイドウエッジ）の一例を示す斜視図である。
【図８】図７に示す角度調整部材（インサイドウエッジ）のＡ−Ａ断面図である。
【図９】図７に示す角度調整部材（インサイドウエッジ）のＢ−Ｂ断面図である。
【図１０】角度調整部材（アウトサイドウエッジ）の一例を示す斜視図である。
【図１１】図１０に示す角度調整部材（アウトサイドウエッジ）のＡ−Ａ断面図である。
【図１２】図１０に示す角度調整部材（アウトサイドウエッジ）のＢ−Ｂ断面図である。
【図１３】本考案にかかる靴中敷きの基材下面の他例を示す斜視図である。
【図１４】角度調整部材（ノーマルウエッジ）の他例を示す斜視図である。
【図１５】図１４に示す角度調整部材（ノーマルウエッジ）のＡ−Ａ断面図である。
【図１６】角度調整部材（インサイドウエッジ）の他例を示す斜視図である。
【図１７】図１６に示す角度調整部材（インサイドウエッジ）のＡ−Ａ断面図である。
【図１８】角度調整部材（アウトサイドウエッジ）の他例を示す斜視図である。
【図１９】図１８に示す角度調整部材（アウトサイドウエッジ）のＡ−Ａ断面図である。
【図２０】角度調整部材（フィンガーウエッジ）の一例を示す斜視図である。
【図２１】図２０に示す角度調整部材（フィンガーウエッジ）のＡ−Ａ断面図である。
【図２２】従来の角度調整部材（ヒールウエッジ）の一例を示す斜視図である。
【図２３】従来の角度調整部材（サイドウエッジ）の一例を示す斜視図である。
【符号の説明】
【００４２】
１０  基材
１１  第一凹部
１２  土踏まず部
１３  第二凹部
２０  角度調整部材（ノーマルウエッジ）
２１  土踏まず部
３０  角度調整部材（ヒールウエッジ）
３１  土踏まず部
４０  角度調整部材（インサイドウエッジ）
４１  土踏まず部
５０  角度調整部材（アウトサイドウエッジ）
５１  土踏まず部
６０  角度調整部材（ノーマルウエッジ）
７０  角度調整部材（インサイドウエッジ）
８０  角度調整部材（アウトサイドウエッジ）
９０  角度調整部材（フィンガーウエッジ）
１００  角度調整部材（ヒールウエッジ）
１１０  角度調整部材（サイドウエッジ）
【図１】
0003116104.tif 000003
【図２】
0003116104.tif 000004
【図３】
0003116104.tif 000005
【図４】
0003116104.tif 000006
【図５】
0003116104.tif 000007
【図６】
0003116104.tif 000008
【図７】
0003116104.tif 000009
【図８】
0003116104.tif 000010
【図９】
0003116104.tif 000011
【図１０】
0003116104.tif 000012
【図１１】
0003116104.tif 000013
【図１２】
0003116104.tif 000014
【図１３】
0003116104.tif 000015
【図１４】
0003116104.tif 000016
【図１５】
0003116104.tif 000017
【図１６】
0003116104.tif 000018
【図１７】
0003116104.tif 000019
【図１８】
0003116104.tif 000020
【図１９】
0003116104.tif 000021
【図２０】
0003116104.tif 000022
【図２１】
0003116104.tif 000023
【図２２】
0003116104.tif 000024
【図２３】
0003116104.tif 000025